【手続補正書】
【提出日】平成30年6月1日(2018.6.1)
【手続補正１】
【補正対象書類名】特許請求の範囲
【補正対象項目名】全文
【補正方法】変更
【補正の内容】
【特許請求の範囲】
【請求項１】
第１ゲームコントローラと第２ゲームコントローラとを支持するための支持装置であって、
前記第１ゲームコントローラは、当該第１ゲームコントローラを前記支持装置に装着するための第１レール部を有し、
前記第２ゲームコントローラは、当該第２ゲームコントローラを前記支持装置に装着するための第２レール部を有し、
前記支持装置は、支持部を備え、
前記支持部は、
前記支持部のうちで所定方向における一方側の部分に設けられ、前記第１ゲームコントローラの前記第１レール部と第１スライド方向にスライド可能に係合することが可能な第１スライド部と、
前記支持部のうちで前記所定方向における他方側の部分に設けられ、前記第２ゲームコントローラの前記第２レール部と第２スライド方向にスライド可能に係合することが可能な第２スライド部とを有し、
前記第１スライド部は、
前記第１スライド部の底面と、当該底面の両側からそれぞれ延びる各側面とによって形成される第１溝部と、
前記第１溝部を形成する各側面からそれぞれ突出して設けられ、前記第１スライド部の底面に対向する面をそれぞれ有する２つの第１突出部と、
前記第１突出部よりも前記第１スライド方向における一方側に設けられ、前記第１スライド部の底面に対向する第１対向面を有する第１対向部と、
前記第１対向面に設けられる、前記第１ゲームコントローラと電気的に接続可能な第１端子とを有し、
前記第２スライド部は、
前記第２スライド部の底面と、当該底面の両側からそれぞれ延びる各側面とによって形成される第２溝部と、
前記第２溝部を形成する各側面からそれぞれ突出して設けられ、前記第２スライド部の底面に対向する面をそれぞれ有する２つの第２突出部と、
前記第２突出部よりも前記第２スライド方向における一方側に設けられ、前記第２スライド部の底面に対向する第２対向面を有する第２対向部と、
前記第２対向面に設けられる、前記第２ゲームコントローラと電気的に接続可能な第２端子とを有する、支持装置。
【請求項２】
前記支持部は、
コネクタと、
前記コネクタを介して供給された電力を前記第１端子を介して前記第１ゲームコントローラへ供給することが可能であるとともに、前記コネクタを介して供給された電力を前記第２端子を介して前記第２ゲームコントローラへ供給することが可能である給電制御部とを含む、請求項１に記載の支持装置。
【請求項３】
前記支持部は、前記給電制御部により前記第１ゲームコントローラおよび前記第２ゲームコントローラの少なくともいずれかに対して充電が行われていることを通知するために発光する発光部をさらに含む、請求項２に記載の支持装置。
【請求項４】
前記発光部は、前記第１ゲームコントローラおよび前記第２ゲームコントローラの両方の充電が完了するまで充電中であることを通知する、請求項３に記載の支持装置。
【請求項５】
前記第１対向部は、前記第１スライド方向における一方側の端部に設けられ、当該第１スライド方向の他方側から挿入された前記第１レール部と当接することによって当該第１レール部のスライド移動を停止させ、
前記第２対向部は、前記第２スライド方向における一方側の端部に設けられ、当該第２スライド方向の他方側から挿入された前記第２レール部と当接することによって当該第２レール部のスライド移動を停止させる、請求項１から請求項４のいずれか１項に記載の支持装置。
【請求項６】
前記第１ゲームコントローラは、前記第１レール部が前記第１スライド部に対して第１位置まで挿入された状態において、当該第１スライド部に対する当該第１レール部のスライド移動であって、当該第１スライド部が当該第１レール部に対して挿入される方向とは逆方向へのスライド移動を係止する第１係止部材を有し、
前記第１スライド部は、前記第１ゲームコントローラの前記第１レール部が前記第１スライド部に対して前記第１位置まで挿入された状態において前記第１係止部材が係止可能な第１被係止部を有し、
前記第２ゲームコントローラは、前記第２レール部が前記第２スライド部に対して第２位置まで挿入された状態において、当該第２スライド部に対する当該第２レール部のスライド移動であって、当該第２スライド部が当該第２レール部に対して挿入される方向とは逆方向へのスライド移動を係止する第２係止部材を有し、
前記第２スライド部は、前記第２ゲームコントローラの前記第２レール部が前記第２スライド部に対して前記第２位置まで挿入された状態において前記第２係止部材が係止可能な第２被係止部を有する、請求項１から請求項５のいずれか１項に記載の支持装置。
【請求項７】
前記第１スライド部は、前記第１スライド方向における一方側の端部と他方側の端部とを有しており、
前記第１端子は、前記第１スライド方向における前記第１スライド部の中央よりも前記一方側の部分に設けられ、
前記第１被係止部は、前記第１スライド方向における前記第１スライド部の中央よりも前記他方側の部分に設けられる、請求項６に記載の支持装置。
【請求項８】
前記第１スライド部は、前記第１スライド方向における一方側の端部と他方側の端部とを有しており、
前記第１ゲームコントローラは、前記第１スライド方向における前記第１スライド部の前記他方側の端部に対して前記第１レール部を挿入することによって、前記支持装置に対して装着されることが可能であり、
前記第１被係止部は、前記第１スライド部の中央よりも前記他方側の部分に設けられる、請求項６に記載の支持装置。
【請求項９】
前記第１スライド部の底面に入射口が設けられ、
前記第１スライド部の底面とは異なる前記支持部の他の面に出射口が設けられ、
前記支持部は、
前記入射口に対して入射された光を前記出射口まで導光する導光部をさらに備える、請求項１から請求項８のいずれか１項に記載の支持装置。
【請求項１０】
前記第１ゲームコントローラは、正面と、当該正面に対する側面であって前記第１レール部が設けられる側面とを有しており、
前記出射口は、前記支持部のうちで、前記第１レール部が前記第１スライド部に係合された前記第１ゲームコントローラの前記正面と同じ向きを向く面に設けられる、請求項９に記載の支持装置。
【請求項１１】
前記導光部は、前記第１スライド部の底面よりも凹んだ位置に設けられる入射面を有する、請求項９または請求項１０に記載の支持装置。
【請求項１２】
前記第１スライド部においては、前記第１レール部と係合する部材の少なくとも一部と前記第１対向部とが一体的に形成される、請求項１から請求項１１のいずれか１項に記載の支持装置。
【請求項１３】
前記第１スライド部および前記第２スライド部は、金属で構成される、請求項１から請求項１２のいずれか１項に記載の支持装置。
【請求項１４】
前記第２スライド部は、前記第２スライド方向が前記第１スライド方向と実質的に平行となる向きに設けられる、請求項１から請求項１３のいずれか１項に記載の支持装置。
【請求項１５】
前記第１対向部と前記第２対向部は、前記第１スライド方向および前記第２スライド方向において同じ側の端部に設けられる、請求項１４に記載の支持装置。
【請求項１６】
第１ゲームコントローラと第２ゲームコントローラとを支持するための支持装置であって、
前記第１ゲームコントローラは、当該第１ゲームコントローラを前記支持装置に装着するための第１レール部を有し、
前記第２ゲームコントローラは、当該第２ゲームコントローラを前記支持装置に装着するための第２レール部を有し、
前記支持装置は、支持部を備え、
前記支持部は、
前記支持部のうちで所定方向における一方側の部分に設けられ、前記第１ゲームコントローラの前記第１レール部と所定の第１スライド方向にスライド可能に係合することが可能な第１スライド部と、
前記支持部のうちで前記所定方向における他方側の部分に設けられ、前記第２ゲームコントローラの前記第２レール部と所定の第２スライド方向にスライド可能に係合することが可能な第２スライド部とを有し、
前記第１スライド部は、
前記第１スライド部の底面と、当該底面の両側からそれぞれ延びる各側面とによって形成される第１溝部と、
前記第１溝部を形成する各側面からそれぞれ突出して設けられ、前記第１スライド部の底面に対向する面をそれぞれ有する２つの第１突出部と、
前記第１突出部よりも前記第１スライド方向における一方側に設けられ、前記第１スライド部の底面に対向する前記支持部の前記一方側の部分または前記第１スライド部に設けられ、前記他方側を向く第１対向面を有する第１対向部とを有し、
前記第２スライド部は、
前記第２スライド部の底面と、当該底面の両側からそれぞれ延びる各側面とによって形成される第２溝部と、
前記第２溝部を形成する各側面からそれぞれ突出して設けられ、前記第２スライド部の底面に対向する面をそれぞれ有する２つの第２突出部と、
前記第２突出部よりも前記第２スライド方向における一方側に設けられ、前記第２スライド部の底面に対向する前記支持部の前記他方側の部分または前記第２スライド部に設けられ、前記一方側を向く第２対向面を有する第２対向部とを有し、
前記第１ゲームコントローラは、前記第１レール部が前記第１スライド部に対して第１位置まで挿入された状態において、当該第１スライド部に対する当該第１レール部のスライド移動であって、当該第１スライド部が当該第１レール部に対して挿入される方向とは逆方向へのスライド移動を係止する第１係止部材を有し、
前記第１スライド部は、前記第１ゲームコントローラの前記第１レール部が前記第１スライド部に対して前記第１位置まで挿入された状態において前記第１係止部材が係止可能な第１被係止部を有し、
前記第２ゲームコントローラは、前記第２レール部が前記第２スライド部に対して第２位置まで挿入された状態において、当該第２スライド部に対する当該第２レール部のスライド移動であって、当該第２スライド部が当該第２レール部に対して挿入される方向とは逆方向へのスライド移動を係止する第２係止部材を有し、
前記第２スライド部は、前記第２ゲームコントローラの前記第２レール部が前記第２スライド部に対して前記第２位置まで挿入された状態において前記第２係止部材が係止可能な第２被係止部を有する、支持装置。